(57)【特許請求の範囲】
【請求項１】
販売時に、飲料入りのカップの開口にリッドを装着するカップ式自動販売機のリッド装着装置であって、
複数のリッドを収納するリッド収納装置と、
上下方向に貫通した開口およびこの開口にリッドを係止する係止部を有するリッド保持部を有し、前記リッド収納装置からリッドを受け取るリッド受取位置と、この受け取ったリッドを前記カップに装着するリッド装着位置との間で移動自在で、且つ昇降自在のリッド移送部材と、
このリッド移送部材を前記リッド受取位置と前記リッド装着位置との間で駆動する第１駆動機構と、
前記リッド移送部材が前記リッド装着位置に移動したときの前記リッド保持部の上方に配置され、前記リッドを前記カップに装着する際に、当該リッドが当接するリッド当接部材と、
前記リッド装着位置に移動した前記リッド移送部材の前記リッド保持部で保持されたリッドに向かって下方から、前記カップを上昇させることにより、当該リッドを前記リッド当接部材に当接させながら当該カップに装着するとともに、当該リッドの装着終了後に、このリッド装着済みカップを下降させるカップ昇降手段と、
を備え、
前記係止部は、前記開口に臨むように設けられ、リッドの下面周縁部を下方から支持することによって当該リッドを前記開口に係止する係止位置と、上方から押圧されることによって当該リッドの係止を解除する解除位置との間で移動自在の係止爪と、
この係止爪を前記係止位置側に付勢する付勢手段と、を有しており、
前記リッドの装着終了後、前記カップ昇降手段による前記リッド装着済みカップの下降に先立ち、前記リッド移送部材を、前記リッド装着位置よりも上位のリッド解放位置に駆動することにより、前記リッド当接部材に当接した状態で前記リッド保持部に対して相対的に下降する前記リッドによって、前記係止爪を前記付勢手段の付勢力に抗して上方から押圧することにより前記解除位置に移動させる第２駆動機構を、さらに備えていることを特徴とするカップ式自動販売機のリッド装着装置。
【請求項２】
前記第２駆動機構は、モータと、
前記リッド移送部材に下方から係合し、前記モータにより所定角度、回転駆動されることにより、前記リッド移送部材を前記リッド装着位置から前記リッド解放位置に駆動するカムと、
を有していることを特徴とする請求項１に記載のカップ式自動販売機のリッド装着装置。
【請求項３】
上下方向に延び、前記リッド移送部材を、前記リッド受取位置と前記リッド装着位置との間で回動可能に且つ当該リッド装着位置と前記リッド解放位置との間で昇降可能に支持する支持軸と、
前記リッド移送部材が前記リッド装着位置に回動したときに当接することによって、当該リッド移送部材が当該リッド装着位置を越えて回動するのを阻止する回動阻止部材と、
をさらに備えており、
前記カムは、前記支持軸と同心で回転自在に設けられ、前記リッド移送部材に互いに回転不能に且つ上下方向に係脱可能にかみ合うように構成されていることを特徴とする請求項２に記載のカップ式自動販売機のリッド装着装置。
【発明の詳細な説明】
【０００１】
【発明の属する技術分野】
本発明は、コーヒーやジュースなどの飲料をカップに注ぎ入れて販売するカップ式自動販売機の内部に設けられ、購入者への飲料の提供前に、その飲料の入ったカップに自動的にリッド（ふた）を装着するカップ式自動販売機のリッド装着装置に関する。
【０００２】
【従来の技術】
従来、この種のリッド装着装置として、飲料入りカップの上端部の開口を、フィルム状の樹脂製シートでシールするものが知られている（例えば特開２００１−２２９４５１号公報）。このリッド装着装置は、ロール状に巻かれた長尺の樹脂製シートを、カップ搬送経路上のシール位置に引き出した状態でセットするシートセット機構と、シール位置に到達した飲料入りカップを、樹脂製シートの下側で昇降させるカップ昇降機構と、樹脂製シートを、カップの開口周縁部との間で上下から挟みながら、カップの開口周縁部に熱圧着させてシールするシール機構とを備えている。
【０００３】
このようなリッド装着装置により、飲料入りカップの開口をシールすることで、例えば、購入者がそのカップ飲料を持ち運ぶ際や、テーブルなどの上でカップを誤って倒した場合であっても、カップ内の飲料はこぼれることがない。しかし、上記のようにふたのされたカップ飲料では、樹脂製シートがカップの開口から一旦剥がされると、その樹脂製シートで、再度、カップにふたをすることはできない。このため、飲み掛けのカップを誤って倒した場合には飲料がこぼれてしまい、また、飲み掛けのまま、しばらくの間置いておきたい場合にカップをそのまま放置しておくと、カップ内にほこりなどが入ってしまうおそれがあり、さらに、カップ内の飲料がホット飲料である場合、再び飲もうとしたときには、その飲料が既に冷めてしまっていることもある。これらのことから、着脱自在のリッドを飲料入りカップに装着可能なリッド装着装置の開発が望まれていた。
【０００４】
【発明が解決しようとする課題】
このようなリッド装着装置では、例えば、装着すべきリッドを、カップ搬送経路上の上記シール位置に相当するリッド装着位置に到達した飲料入りカップの上方に移送するリッド移送機構や、移送したリッドをリッド装着位置のカップにしっかりと装着する機構などが必要である。そして、リッドをカップにしっかりと装着するためには、装着中は、リッドを所定位置にしっかりと保持する一方、装着終了後は、その後のリッド装着済みカップの搬送、すなわち購入者にカップ飲料を迅速に提供すべく、リッド保持の解除を迅速かつ確実に行う必要がある。しかし、このようなリッドの保持およびその解除を両立するリッド装着装置は未だ存在しない。
【０００５】
本発明は、以上のような課題を解決するためになされたものであり、飲料入りカップへのリッドの装着中は、リッドをしっかりと保持できるとともに、装着終了後は、リッド保持の解除を迅速かつ確実に行うことができるカップ式自動販売機のリッド装着装置を提供することを目的とする。
【０００６】
【課題を解決するための手段】
本発明の請求項１に係るカップ式自動販売機のリッド装着装置は、販売時に、飲料入りのカップの開口にリッドを装着するカップ式自動販売機のリッド装着装置であって、複数のリッドを収納するリッド収納装置と、上下方向に貫通した開口およびこの開口にリッドを係止する係止部を有するリッド保持部を有し、リッド収納装置からリッドを受け取るリッド受取位置と、この受け取ったリッドをカップに装着するリッド装着位置との間で移動自在で、且つ昇降自在のリッド移送部材と、このリッド移送部材をリッド受取位置とリッド装着位置との間で駆動する第１駆動機構と、リッド移送部材がリッド装着位置に移動したときのリッド保持部の上方に配置され、リッドをカップに装着する際に、リッドが当接するリッド当接部材と、リッド装着位置に移動したリッド移送部材のリッド保持部で保持されたリッドに向かって下方から、カップを上昇させることにより、リッドをリッド当接部材に当接させながらカップに装着するとともに、リッドの装着終了後に、このリッド装着済みカップを下降させるカップ昇降手段と、を備え、係止部は、開口に臨むように設けられ、リッドの下面周縁部を下方から支持することによってリッドを開口に係止する係止位置と、上方から押圧されることによってリッドの係止を解除する解除位置との間で移動自在の係止爪と、この係止爪を係止位置側に付勢する付勢手段と、を有しており、リッドの装着終了後、カップ昇降手段によるリッド装着済みカップの下降に先立ち、リッド移送部材を、リッド装着位置よりも上位のリッド解放位置に駆動することにより、リッド当接部材に当接した状態でリッド保持部に対して相対的に下降するリッドによって、係止爪を付勢手段の付勢力に抗して上方から押圧することにより解除位置に移動させる第２駆動機構を、さらに備えていることを特徴とする。
【０００７】
この構成によれば、販売時にまず、リッド受取位置に位置するリッド移送部材がリッド収納装置からリッドを受け取り、このリッドを、リッド保持部の開口に係止部によって係止した状態で保持する。具体的には、この係止部は、リッド保持部の開口に臨むとともに、係止位置と解除位置の間で移動自在で、且つ付勢手段によって係止位置側に付勢された係止爪を有しており、係止位置に位置する係止爪がリッドの下面周縁部を下方から支持することによって、リッドをリッド保持部の開口に保持する。次いで、第１駆動機構により、リッド移送部材がリッド装着位置に駆動され、これに伴い、リッド保持部に保持されたリッドが所定の位置（以下この位置も「リッド装着位置」という）に移送される。その後、カップ昇降手段により、飲料入りカップが、リッド装着位置のリッドに向かって下方から上昇する。そして、そのリッドは、上昇するカップで押し上げられ、リッド当接部材に当接しながらカップに装着される。
【０００８】
その後、カップ昇降手段により、リッド装着済みカップが下降する。この場合、リッド装着済みカップを単に下降させると、そのリッドが、リッド保持部の係止部、すなわち係止位置に位置する係止爪で係止されたままとなることで、リッド装着済みカップを適切に下降させることができないことがある。そこで、リッド装着済みカップの下降に先立ち、第２駆動機構により、リッド移送部材をリッド装着位置からその上位のリッド解放位置に駆動することにより、係止爪によるリッド装着済みカップのリッドの係止を解除する。すなわち、リッド移送部材をリッド解放位置に上昇させると、リッド装着済みカップのリッドがリッド当接部材に当接した状態であるために、逆に、そのリッドがリッド移送部材のリッド保持部に対し相対的に下降する。それに伴い、係止爪は、下降するリッドによって付勢手段の付勢力に抗して上方から押圧されることにより、解除位置に移動する。その結果、係止爪によるリッドの係止が解除され、カップ昇降手段によって、リッド装着済みカップを適切に下降させることができる。
【０００９】
このように、上記構成のリッド装着装置によれば、飲料入りカップへのリッドの装着中は、係止位置に位置する係止爪によって、リッド移送部材のリッド保持部に、リッドをリッド装着位置にしっかりと保持することができる。また、リッドの装着終了後は、リッド移送部材をリッド解放位置に上昇させるだけで、係止爪によって係止された状態のリッドの保持の解除を迅速かつ確実に行うことができる。
【００１２】
請求項２に係る発明は、請求項１のカップ式自動販売機のリッド装着装置において、第２駆動機構は、モータと、リッド移送部材に下方から係合し、モータにより所定角度、回転駆動されることにより、リッド移送部材をリッド装着位置からリッド解放位置に駆動するカムと、を有していることを特徴とする。
【００１３】
この構成によれば、リッド移送部材に下方から係合するカムを、モータにより、所定角度、回転駆動することにより、このカムがリッド移送部材を、リッド装着位置からリッド解放位置に持ち上げる。このように、リッド移送部材をリッド解放位置に駆動する第２駆動機構を、モータおよびカムを有する簡単な構成で実現することができる。
【００１４】
請求項３に係る発明は、請求項２のカップ式自動販売機のリッド装着装置において、上下方向に延び、リッド移送部材を、リッド受取位置とリッド装着位置との間で回動可能に且つリッド装着位置とリッド解放位置との間で昇降可能に支持する支持軸と、リッド移送部材がリッド装着位置に回動したときに当接することによって、リッド移送部材がリッド装着位置を越えて回動するのを阻止する回動阻止部材と、をさらに備えており、カムは、支持軸と同心で回転自在に設けられ、リッド移送部材に互いに回転不能に且つ上下方向に係脱可能にかみ合うように構成されていることを特徴とする。
【００１５】
この構成によれば、カムが、支持軸と同心で回転自在に設けられ、リッド移送部材に互いに回転不能にかみ合っているので、このカムが所定角度回転するのに伴い、リッド移送部材がリッド受取位置とリッド装着位置との間で回動する。また、このカムは、リッド移送部材に上下方向に係脱可能にかみ合っているので、リッド移送部材がリッド装着位置に回動し、回動阻止部材に当接した状態で、カムが、リッド移送部材をさらに強く回動阻止部材に当接させる方向に、所定角度回転すると、カムとリッド移送部材とのかみ合い高さの分、リッド移送部材がカムに持ち上げられる。このように、カムを所定角度、回転させるだけで、リッド移送部材を、リッド受取位置とリッド装着位置との間で回動させることができることに加えて、リッド装着位置とリッド解放位置との間で昇降させることもできる。したがって、上記カムおよびモータを有する第２駆動機構により、リッド移送部材の回動および昇降を容易に行うことができ、また、この第２駆動機構で上記第１駆動機構を兼用することもできる。
【００１６】
【発明の実施の形態】
以下、図面を参照しながら、本発明の好ましい実施形態を詳細に説明する。図１は、本発明の一実施形態によるリッド装着装置を内蔵したカップ式自動販売機を示し、図２〜図５は、その内部構造を示している。この自動販売機１は、コーヒーやジュースなどの飲料をカップに注ぎ入れて販売するものであり、リッド装着装置２により、着脱自在のリッドＬを飲料の入ったカップＣに装着し、ふた付きのカップ飲料Ｄを購入者に提供できるものである。
【００１７】
図１に示すように、自動販売機１は、前面が開口した縦長ボックス状の販売機本体３と、この販売機本体３の前面を開閉するメインドア４とを備えている。メインドア４の中央部には、購入者が商品であるカップ飲料Ｄを取り出すための商品取出し部５が設けられている。この商品取出し部５は、ある程度の奥行き寸法を有し、メインドア４の上半部よりも前方に若干突出した水平なステージ５ａを有している。ステージ５ａの中央部には、販売時に、カップ飲料Ｄが上昇しながら出てくる販売口５ｂが設けられている。この販売口５ｂは、常時は閉鎖しており、販売時にカップ飲料Ｄがステージ５ａ上に出る際に開口するようになっている。なお、ステージ５ａの下方は、正面形状が半楕円形に形成されるとともに、メインドア４の他の部分よりも前方に若干張り出したデザインになっている。
【００１８】
また、いずれも図示しないが、この自動販売機１のメインドア４には、一般的なカップ式自動販売機と同様に、商品選択ボタン、金銭投入口および釣銭返却口などが設けられている。さらにこれらに加えて、メインドア４には、カップ飲料にリッドＬを装着するか否かを、購入者が自ら選択するためのリッド装着ボタンも設けられている。したがって、例えば、通常の販売ではリッドＬを装着せず、購入時にリッド装着ボタンが押されたときだけリッドＬを装着するように、自動販売機１が設定されている場合、リッドＬが不要な購入者は、一般的なカップ式自動販売機と同様にしてカップ飲料を購入することができる一方、リッドＬが必要な購入者は、購入時にリッド装着ボタンを押すことによって、ふた付きカップ飲料Ｄを得ることができる。
【００１９】
図２に示すように、販売機本体３には、上記リッド装着装置２の他、多数のカップＣを収納するとともに、販売時にカップＣを１個ずつ落下させ、後述するカップ供給位置に供給するカップディスペンサ６や、各種の原料がそれぞれ収納された複数（本実施形態では６つ）のキャニスタ７などが内蔵されている。カップディスペンサ６は、円筒状に形成され、上下方向に互いに積み重なった多数のカップＣを複数列、収納するカップ収納器６ａと、販売時に、選択された商品に応じたカップ列の最下位のカップＣを、それよりも上側の他のカップと切り離し、落下させるカップドロッパ６ｂとを有している。
【００２０】
一方、各キャニスタ７には、互いに異なる粉末あるいは顆粒状の原料、例えばコーヒや紅茶、ココア、さらにはジュースなどの原料が収納されており、販売時に、選択された商品に応じた原料が、原料シュート７ａを介してミキシングボウル８に所定量吐出されるようになっている。なお、ミキシングボウル８に吐出された原料は、湯あるいは水とともに攪拌され、その混合液が、飲料チューブ９およびその先端部の飲料ノズル１０（図５参照）を介して、後述する飲料供給位置に搬送されたカップＣに供給される。
【００２１】
次に、リッド装着装置２について詳述する。このリッド装着装置２は、上下方向に積み重なった状態の多数のリッドＬを収納するリッドストッカ１１（リッド収納装置）と、販売時にリッドストッカ１１から１つずつリッドＬを取り出すとともに、所定位置まで移送するリッド取出し・移送装置１２と、カップＣを前後方向および上下方向に搬送するカップ搬送装置１３と、このカップ搬送装置１３とによって、リッドＬを上方から押圧するようにカップＣに嵌め込むリッド押圧装置１４と、これらを制御するマイクロコンピュータを有する制御装置（図示せず）などを備えている。
【００２２】
なお、本実施形態に使用するリッドＬおよびカップＣは、例えば図６に示すように形成されている。具体的には、リッドＬは、厚さの薄いプラスチックからなり、同図（ａ）に示すように、平面形状が円形で且つある程度の高さを有し、下面が開口している。また、リッドＬの上部には、直径がカップＣの下端部のそれとほぼ同じ大きさの凹部１６が形成されている。これにより、ふた付きカップ飲料Ｄの凹部１６に、他のカップ飲料のカップの下端部を嵌め込むことが可能であり、そうすることにより、複数のカップ飲料を持ち運ぶ際に、それらを互いに積み重ねて持ち運ぶこともできる。また、リッドＬの側部には、カップＣの後述するカール部１８に嵌合する、外方に凸の嵌合部１７が形成されている。この嵌合部１７の直径は、カップＣのカール部１８の直径よりも若干小さくなっており、したがって、リッドＬは、カップＣの上端部の開口にスナップ嵌めでしっかりと装着でき、装着した状態では、カップＣから外れにくくなる。
【００２３】
一方、カップＣは、一般的な紙カップであり、上端部の開口周縁部がカール状に形成されている（カール部１８）。そして、このカール部１８に、上述したように、リッドＬの嵌合部１７が嵌合することによって、リッドＬがカップＣにしっかりと装着される。これにより、飲料の入ったカップＣを傾けたり、倒したりしても、飲料がカップＣからこぼれることがない。なお、図６（ａ）の２点鎖線で示すように、リッドＬの上面に、開口１９を形成してもよく、この場合には、開口１９を、飲み口として、あるいはストローの挿入口として利用することができる。
【００２４】
図３および図４に示すように、リッドストッカ１１は、縦長のストッカフレーム２１と、上下方向に延びるとともに、ストッカフレーム２１に、鉛直軸線を中心として回転自在に支持されたリッド収納器２２と、ストッカフレーム２１の上部に取り付けられ、リッド収納器２２を所定角度、回転させるためのストッカ駆動機構２３などを有している。
【００２５】
ストッカフレーム２１は、上下方向に延びるフレーム本体２１ａを有しており、このフレーム本体２１ａの下端部および上端部にそれぞれ、前方に水平に延びるベースプレート２４および支持プレート２５が設けられている。図８および図９に示すように、ベースプレート２４の所定位置には、リッドＬの外径よりも一回り大きなリッド取出し孔２４ａが形成されている。一方、支持プレート２５には、取付金具２５ａを介して、ストッカ駆動機構２３が取り付けられている。そして、これらのベースプレート２４および支持プレート２５の間に、リッド収納器２２が回転自在に支持されている。
【００２６】
リッド収納器２２は、図７〜図９に示すように、上下方向に延びる３つの筒状の収納ドラム２６を有しており、これら収納ドラム２６の各々に、上下方向に積み重なった状態の多数のリッド（リッド列）が収納される。また、これらの収納ドラム２６は互いに、上下方向に延びる回転軸２２ａを中心に対称に配置されている。各収納ドラム２６は、平面形状がリッドＬの外径よりも一回り大きな蜂の巣状に形成されており、回転軸２２ａの反対側の半部が開閉扉２７によって開閉されるようになっている。この開閉扉２７は、上下に２分割されており、各々の戸当たり側には、マグネット２８が取り付けられている。したがって、各開閉扉２７のマグネット２８がそれに対応する位置の吸着用プレート２９に着脱することにより、各収納ドラム２６へのリッド列の補充の際に、開閉扉２７を簡単に開閉することができる。なお、この開閉扉２７には、複数の縦長のスリット２７ａが形成されており、これにより、メインドア４の開放時には、開閉扉２７を開放することなく、収納ドラム２６内のリッドＬの残量を外部から容易に視認することができる。
【００２７】
また、リッド収納器２２の回転軸２２ａの上端部には、ギヤ２２ｂが固定されており、このギヤ２２ｂがストッカ駆動機構２３によって回転駆動されることによって、リッド収納器２２が所定角度回転する。ストッカ駆動機構２３は、モータ３１と、ギヤボックス３２を介して、モータ３１により回転駆動される駆動軸３３などを有している。この駆動軸３３には、その下端部に、リッド収納器２２の上記ギヤ２２ｂにかみ合うギヤ部３４が設けられる一方、上端部に、リッド収納器２２の回転角度を制御するための円板状の制御板３５が設けられている。また、この制御板３５の付近には、光センサからなるストッカセンサ３６が配置されており、このストッカセンサ３６により、制御板３５の所定位置に形成されたスリット３５ａの位置が検出される。この検出結果に基づき、モータ３１の作動が制御されることによって、リッド収納器２２が所定角度、回転する。
【００２８】
図１０は、図４に示すリッド装着装置２からリッドストッカ１１を省略した部分を拡大して示しており、図１１はその上面図の一部を示している。これらの図および図９に示すように、リッドストッカ１１の下側、より具体的には、ベースプレート２４のリッド取出し孔２４ａの下側には、リッド列のうちの最下位のリッドＬを、それよりも上側のリッドと切り離すためのリッドセパレータ４１が取り付けられている。なお、以下の説明では、リッド列のうちの最下位のリッドＬおよびそのすぐ上のリッドＬをそれぞれ、適宜、「装着リッドＬ１」および「次装着リッドＬ２」と称呼する。
【００２９】
図１２に示すように、リッドセパレータ４１は、リッド取出し孔２４ａとほぼ同じ大きさで同心に位置するリッド支持孔４２を有する、平面形状がリング状のケース４３と、互いに等角度で、リッド支持孔４２に臨むようにケース４３内に配置され、装着リッドＬ１の支持および切離しを行うための複数（本実施形態では６個）のリッドカム４４と、これら全てのリッドカム４４を、同期して所定角度、回転させるためのリングギヤ４５と、このリングギヤ４５を所定角度、回転させるためのセパレータモータ４６と、リングギヤ４５の回転位置を検出するための２つのリングギヤセンサ４７、４７などを有している。
【００３０】
ケース４３は、互いに上下対称な上ケース４３ａおよび下ケース４３ｂを上下に組み合わせて構成されており、これら上下のケース４３ａ、４３ｂにそれぞれ、各リッドカム４４が鉛直軸線を中心として回転自在に支持されている。各リッドカム４４は、図１２（ｃ）に示すように、上下方向に延びる回転軸４４ａを間にして、互いに反対方向に水平に突出した一対の凸部４４ｂ、４４ｂを、上下２段で有している。同図（ａ）に示すように、各リッドカム４４の一対の凸部４４ｂ、４４ｂが、ケース４３のリッド支持孔４２の半径方向に向いているときには、内側の凸部４４ｂによって、装着リッドＬ１の下面周縁部が下側から支持される。また、各リッドカム４４の下部には、上記リングギヤ４５にかみ合うギヤ部４４ｃが設けられている。なお、各リッドカム４４の下段の一対の凸部４４ｂ、４４ｂは、上段のそれによって、装着リッドＬ１を誤って支持できなかったときの予備として設けられている。
【００３１】
リングギヤ４５は、ケース４３の外径よりも一回り小さく形成されており、内周部に、６個のリッドカム４４のギヤ部４４ｃにそれぞれかみ合う多数の歯が形成されている。また、リングギヤ４５には、図１２（ａ）および図１３に示すように、半径方向に延びる駆動用および回転位置検出用の長孔４５ａ、４５ｂがそれぞれ、所定位置に形成されている。駆動用長孔４５ａには、所定形状のクランク４８の一端部が摺動自在に挿入されており、そのクランク４８の他端部がセパレータモータ４６の回転軸４６ａに固定されている。
【００３２】
一方、回転位置検出用の長孔４５ｂは、リングギヤ４５の駆動用の長孔４５ａの向い側の位置に形成されており、リングギヤ４５が図１３（ａ）に示す位置にあるときに、一方のリングギヤセンサ４７（４７Ａ）で検出されるようになっている。この一方のリングギヤセンサ４７Ａおよび他方のリングギヤセンサ４７Ｂはいずれも光センサからなり、またこれらは互いに、所定距離、離隔して配置されている。
【００３３】
このように構成されたリッドセパレータ４１では、リングギヤ４５およびリッドカム４４が図１２（ａ）および図１３（ａ）に示す状態にあるときには、６つのリッドカム４４のリッド支持孔４２の中心に向いた各凸部４４ｂによって、装着リッドＬ１の下面周縁部を下側から支持する。この状態から、セパレータモータ４６が作動し、クランク４８が図１３（ａ）の矢印Ａに示す方向に所定角度（約８０度）、回転することによって、リングギヤ４５が矢印Ｂに示す方向に回転し、これに伴い、回転位置検出用の長孔４５ｂが移動し、他方のリングギヤセンサ４７Ｂで検出されたときに、セパレータモータ４６が停止する。これにより、リングギヤ４５は、矢印Ｂに示す方向に所定角度（約５度）、回転する一方、これに伴い、６つのリッドカム４４はそれぞれ、図１３（ｂ）に示すように、約９０度回転し、これにより、装着リッドＬ１の支持が解除される。
【００３４】
なお、図１３（ｂ）に示す状態において、クランク４８が上記矢印Ａと逆方向（矢印Ａ’）に所定角度（約８０度）、回転することにより、リングギヤ４５が矢印Ｂ’に示す方向に回転し、これにより、リングギヤ４５およびリッドカム４４が同図（ａ）に示す状態に復帰する。
【００３５】
また、リッドセパレータ４１のケース４３には、リッド支持孔４２内のリッドＬの有無を検出するリッド有無センサ４９が設けられている。このリッド有無センサ４９は、互いに間隔を存し且つ水平に対向するように配置された発光素子４９ａおよび受光素子４９ｂからなる光センサで構成されている。発光素子４９ａからの光がリッド支持孔４２内のリッドＬで遮られたときには、リッドＬがリッド支持孔４２内に存在しており、図示しない上記制御装置により、リッドセパレータ４１の上方に位置するリッド収納器２２の収納ドラム２６がリッド切れではないと判別される。逆に、発光素子４９ａからの光が何ら遮られることなく、受光素子４９ｂで受光されたときには、前述の収納ドラム２６がリッド切れであると判別される。
【００３６】
以上のように構成されたリッドストッカ１１およびリッドセパレータ４１では、販売時にふた付きカップ飲料が選択されることで、リッドセパレータ４１の上方に位置するリッド収納器２２の収納ドラム２６内のリッド列が、最下位のものから順に切り離され、消費されてゆく。そして、販売時（例えば、今回の販売で最後のリッドＬを消費したとき）に、リッド有無センサ４９を介して、前述の収納ドラム２６がリッド切れであると判別されると、次回のふた付きカップ飲料の販売に備えて、リッド収納器２２が所定角度（１２０度）、回転し、これにより、リッド切れの収納ドラム２６が、リッド列を収納した新たな収納ドラム２６に切り替わる。この場合、新たな収納ドラム２６内のリッド列は、ベースプレート２４上を摺動しながら、ベースプレート２４の上記リッド取出し孔２４ａまで移動する。
【００３７】
また、このような収納ドラム２６の切り替えに先立ち、後述するリッド取出し機５４が、リッド取出し孔２４ａ付近まで上昇する。具体的には、リッド取出し機５４の円柱状の本体部６１が、リッドセパレータ４１のリッド支持孔４２を下方から貫通し、リッド取出し孔２４ａの付近まで上昇する（図１７参照）。その後、上記のように収納ドラム２６が切り替えられると、新たな収納ドラム２６内のリッド列のうちの最下位の装着リッドＬ１が、リッド取出し孔２４ａを介して若干落下し、本体部６１の上端面を覆うように、これに載る。その後、リッド取出し機５４が下降し、その途中で、装着リッドＬ１がリッドセパレータ４１のリッド支持孔４２内で支持される。これにより、収納ドラム２６の切り替えが終了する。
【００３８】
このように、収納ドラム２６の切り替えの際に、リッド取出し孔２４ａ付近まで上昇したリッド取出し機５４の本体部６１に、装着リッドＬ１を一旦載せてからリッドセパレータ４１にセットするので、その装着リッドＬ１を、ベースプレート２４上からリッド取出し孔２４ａを介して落下させ、リッドセパレータ４１に直接セットする場合に比べて、その落下距離を非常に短くすることができる。これにより、リッドセパレータ４１へのリッド列のセットを適切かつ確実に行うことができる。
【００３９】
なお、収納ドラム２６のリッド切れの判別において、リッド支持孔４２内にリッドＬが全く存在しない場合を、収納ドラム２６のリッド切れと判別する他、リッド有無センサ４９の上下方向の位置を、適宜、設定することによって、リッド支持孔４２内にリッドＬが１個あるいは数個存在している状態のときに、収納ドラム２６がリッド切れになったと判別するようにしてもよい。この場合には、リッド支持孔４２内に残存する最上位のリッドＬと、リッド取出し孔２４ａとの距離が短くなるため、収納ドラム２６の切替時に、新たな収納ドラム２６内のリッド列の最下位のリッドＬが、リッド取出し孔２４ａを介してそのまま落下し、残存するリッドＬに上方から積み重なる。したがってこの場合には、リッド取出し機５４を作動させなくても、リッドセパレータ４１へのリッド列のセットを適切に行うことが可能である。
【００４０】
次に、リッド取出し・移送装置１２について説明する。図１０および図１１に示すように、リッド取出し・移送装置１２は、上記リッドセパレータ４１の下方に配置されており、リッドセパレータ４１のリッド支持孔４２内で支持された装着リッドＬ１を、下方へ移動させながら取り出すリッド取出し装置５１と、これによって取り出された装着リッドＬ１を、後述するリッド受取位置からリッド装着位置まで移送するリッド移送装置５２とで構成されている。
【００４１】
リッド取出し装置５１は、図１４および図１５に示すように、上下方向に延びる１対の案内レール５３、５３によって案内される昇降自在のリッド取出し機５４を有している。このリッド取出し機５４は、上下方向に延びる円柱状の本体部６１と、この本体部６１の下部から案内レール５３、５３間に延びるベース部６２とを有しており、これら本体部６１およびベース部６２により、正面形状がほぼＬ字状に形成されている。
【００４２】
本体部６１は、上記リッドセパレータ４１のリッド支持孔４２と同心となるように位置しており、本体部６１の外径が、リッドＬの下面の開口１９よりも一回り小さく形成されている。また、本体部６１およびベース部６２の内部には、リッド把持機構６３が設けられており、このリッド把持機構６３の後述するリッド把持プレート６４が、装着リッドＬ１に内側から係合することによって、その装着リッドＬ１を掴めるようになっている。なお、図１４および図１５（ａ）に示すように、リッド取出し機５４の本体部６１の上端部には、側壁に４つの開口６１ｂを有するカバー６１ａが取り付けられており、リッド把持機構６３の後述する各リッド把持プレート６４の把持部６４ｂがそれぞれ、開口６１ｂから出没するようになっている。
【００４３】
リッド把持機構６３は、図１５および図１６に示すように、所定形状の４つのリッド把持プレート６４と、これら４つのリッド把持プレート６４を、上下方向に延びる駆動軸６５を中心に互いに対称に配置した状態で、各々を上下方向に延びる支持ピン６６を介して回動自在に支持する把持プレートホルダ６７と、４つのリッド把持プレート６４の内方に配置され、所定角度、回転することによって、各リッド把持プレート６４を回動させる所定形状のカムプレート６８と、このカムプレート６８を、上記駆動軸６５およびギヤボックス６９を介して、所定角度、回転駆動するリッド把持モータ７０などで構成されている。
【００４４】
リッド把持プレート６４は、所定形状の金属板を曲げ加工することなどで成形されており、ある程度の高さを有するとともに、平面形状がくの字状で且つその一端部が支持ピン６６に回動自在に連結されたアーム部６４ａと、このアーム部６４ａの支持ピン６６と反対側の端部に連なるとともに、アーム部６４ａに対して直角に外方に屈曲し、平面形状が矩形状の把持部６４ｂとを有している。また、各リッド把持プレート６４は、図１５（ｂ）および図１６に示すように、支持ピン６６に設けられたねじりコイルばね６６ａによって、把持部６４ｂが内方、すなわちカムプレート６８側に付勢され、これに当接している。このカムプレート６８は、平面形状がほぼ正方形で、外周が図１６に示すように形成されている。
【００４５】
図１５（ｂ）に示すように、駆動軸６５の下端部には、カムプレート６８の回転角度を制御するための円板状の制御板７１が設けられている。また、この制御板７１の付近には、光センサからなるリッド把持センサ７２が配置されており、このリッド把持センサ７２により、制御板７１の所定位置に形成された図示しないスリットの位置が検出される。この検出結果に基づき、リッド把持モータ７０の作動が制御されることによって、カムプレート６８が所定角度、回転する。
【００４６】
図１６（ａ）に示すように、各リッド把持プレート６４がカムプレート６８の辺部分に当接した状態では、把持部６４ｂの先端がカバー６１ａの開口６１ｂ付近に位置する。一方、この状態から、カムプレート６８が図１６（ｂ）に示すようにほぼ４５度回転すると、各リッド把持プレート６４は、ねじりコイルばね６６ａに抗して内方から押圧されることで回動し、把持部６４ｂが外方に若干突出する。
【００４７】
このように回動駆動されるリッド把持プレート６４では、図１６（ａ）に示す各リッド把持プレート６４の把持部６４ｂの先端を結んだときの円Ｅ１の直径は、リッドＬの嵌合部１７のそれよりも小さく、一方、図１６（ｂ）に示す円Ｅ２の直径は、リッドＬの嵌合部１７とそれとほぼ同一である。したがって、各リッド把持プレート６４が、同図（ｂ）に示す状態にあるときには、各把持部６４ｂの先端部で、リッドＬの嵌合部１７に内側から係合し、リッドＬを把持することが可能となる。逆に、各リッド把持プレート６４が、同図（ａ）に示す状態にあるときには、各把持部６４によるリッドＬの把持を解除することができる。なお、以下の説明では、図１６（ａ）および（ｂ）に示す各リッド把持プレート６４の状態をそれぞれ、「リッド解放姿勢」および「リッド把持姿勢」と称呼する。
【００４８】
以上のようなリッド把持機構６３を有するリッド取出し機５４は、図１４および図１５（ａ）に示すように、ベース部６２の端部（右部）に昇降機構７３を有している。この昇降機構７３は、エンコーダ付きのモータからなるリッド取出しモータ７４と、このモータ７４により、ギヤボックス７５を介して、水平軸線回りに回転駆動されるピニオン７６と、上下方向に延び、ピニオン７６にかみ合うラック７７とを有している。また、昇降機構７３の付近には、リッド取出し機５４の待機位置を検出するための光センサからなる待機位置センサ７８が配置されている。
【００４９】
図１７は、リッド取出し機５４の上端、すなわち本体部６１の上端を基準とするリッド取出し機５４の昇降位置を示している。同図に示すように、リッド取出し機５４は、待機位置Ｈ１と上限位置Ｈmaxとの間で昇降できるようになっており、また、これら待機位置Ｈ１および上限位置Ｈmaxに加え、これらの間のリッド把持位置Ｈ２および一時停止位置Ｈ３の２つの位置で停止できるようになっている。
【００５０】
これら４つの位置をそれぞれ具体的に説明する。まず、待機位置Ｈ１は、リッド取出し機５４の上昇開始前の位置であり、販売待機時には、この待機位置Ｈ１に、リッド取出し機５４が位置している。リッド把持位置Ｈ２は、リッド取出し機５４の上端が、リッドセパレータ４１の上端付近に位置し、リッド把持機構６３のリッド把持プレート６４がリッド把持姿勢となることで、装着リッドＬ１を把持可能な位置である。一時停止位置Ｈ３は、前述のリッド把持位置Ｈ２よりも、若干低い位置であり、その高さは、互いに積み重なった装着リッドＬ１および次装着リッドＬ２の下面間の高さとほぼ同じである。リッド上限位置Ｈmaxは、上記リッドストッカ１１のベースプレート２４とほぼ同じ高さであり、上述した収納ドラム２６の切り替えの際に、リッド取出し機５４がこのリッド上限位置Ｈmaxまで上昇する。
【００５１】
図１８は、リッド移送装置５２を示している。同図に示すように、リッド移送装置５２は、ベースプレート８１と、このベースプレート８１の上側に設けられ、リッドＬを、上記リッドセパレータ４１の真下のリッド受取位置（図１８（ａ）、（ｂ）に示す位置）から、リッド装着位置（図２３に示す位置）に移送するためのリッド移送アーム８２（リッド移送部材）と、このリッド移送アーム８２を駆動するアーム駆動機構８３とを有している。
【００５２】
図１８（ａ）および（ｂ）に示すように、ベースプレート８１上の所定位置には、リッド移送アーム８２が当接することで、その可動範囲を規制するための２本のロッド８４、８５が立設されている。具体的には、ロッド８４およびロッド８５（回動阻止部材）はそれぞれ、リッド移送アーム８２をリッド受取位置およびリッド装着位置に位置決めする。なお、ベースプレート８１上のロッド８４の付近には、マイクロスイッチからなる受取位置スイッチ８６が設けられており、リッド移送アーム８２がリッド受取位置に位置しているときには、この受取位置スイッチ８６がリッド移送アーム８２で押されるようになっている。
【００５３】
リッド移送アーム８２は、ある程度の厚みを有するとともに、平面形状が団扇状に形成されており、水平に延びるアーム部９１と、このアーム部９１に連なるリング状のリッド保持部９２とを有している。
【００５４】
アーム部９１は、リッド保持部９２と反対側の端部が、上下方向に延びる支持軸９３に回動自在で且つこれに沿って昇降自在に支持されている。アーム部９１の上側には、支持軸９３の上端部の軸受け９３ａとの間にコイルばね９４が設けられており、このコイルばね９４によって、リッド移送アーム８２全体が下方に付勢されている。また、アーム部９１の下部には、支持軸９３の周囲に下方に若干突出した凸部９１ａが設けられ、アーム駆動機構８３の後述するアーム駆動カム１０３にかみ合っている。
【００５５】
一方、リッド保持部９２は、二重構造になっており、アーム部９１と一体に形成されたリング部９５の内側に、リッドＬを保持するためのリッド保持リング９６を有している。図１８（ａ）、（ｃ）に示すように、リッド保持リング９６は、その内径がリッドＬの最大外径（下面の外径）よりも若干大きく形成される一方、外径がリング部９５の内径よりも若干小さくなっている。すなわち、リッド保持リング９６とリング部９５との間には、若干の隙間Ｆ（例えば２ｍｍ）が全周にわたって設けられており、これにより、リッド保持リング９６は、リング部９５に対しその半径方向に遊びを有している。
【００５６】
また、リッド保持リング９６の内周部には、その開口９６ａにリッドＬを係止するための４つのリッド係止爪９７（係止部材）が設けられており、これらは、開口９６ａに臨むように、リッド保持リング９６の内周に沿って互いに等角度で配置されている。各リッド係止爪９７は、図１８（ｃ）に示すように、正面形状が縦長の長方形で且つ側面形状が内側に凸のくの字状に形成され、その凸部分に、リッドＬを下側から支持した状態で係止するための係止部９７ａを有している。また、各リッド係止爪９７は、その上端部に設けられた支持軸９８に、係止部９７ａでリッドＬを係止可能なリッド係止位置（図１８（ｃ）の実線で示す位置）と、その係止を解除可能なリッド解除位置（同図の２点鎖線で示す位置）との間で回動自在に支持されている。さらに、各リッド係止爪９７は、上端部に設けられたねじりコイルばね９９（付勢手段）によって、リッド係止位置に付勢されている。
【００５７】
アーム駆動機構８３は、図１８（ａ）、（ｂ）に示すように、リッド移送モータ１０１と、ベースプレート８１の下面に取り付けられたギヤボックス１０２を介して、リッド移送モータ１０１により回転駆動され、これにより、リッド移送アーム８２を駆動するアーム駆動カム１０３（カム）などで構成されている。なお、モータ１０１は、ベースプレート８１に形成された貫通孔８１ａを介して、上方に一部が突出した状態でギヤボックス１０２に連結されている。
【００５８】
アーム駆動カム１０３は、ベースプレート８１とリッド移送アーム８２との間に配置され、リッド移送アーム８２の支持軸９３と同心で回転自在に構成されている。また、アーム駆動カム１０３は、リッド移送アーム８２の凸部９１ａに、互いに回転不能に且つ上下方向に係脱自在にかみ合うように形成されている。このようなアーム駆動カム１０３が、ギヤボックス１０２を介して、モータ１０１により所定角度、回転駆動されると、これに伴い、リッド移送アーム８２がリッド受取位置とリッド装着位置との間で回動する。なお、アーム駆動カム１０３の付近には、光センサからなる２つの移送アームセンサ１０４、１０４が設けられており、これらのセンサ１０４、１０４および上記受取位置スイッチ８６によって、リッド移送アーム８２の位置が検出されるようになっている。
【００５９】
ここで、図１７および図１９〜図２２を参照しながら、リッド取出し装置５１により、リッドセパレータ４１から装着リッドＬ１を取り出し、それをリッド移送装置５２のリッド移送アーム８２に受け渡す一連の動作について順に説明する。なお、リッド取出し装置５１の作動開始前においては、リッド取出し機５４は、図１７に実線で示す待機位置Ｈ１に位置している。またこの場合、リッドセパレータ４１のリッドカム４４はいずれも、図１９（ａ）に示すように、凸部４４ｂがリッド支持孔４２の半径方向に向いている。
【００６０】
まず、リッド取出し機５４は、待機位置Ｈ１からリッド把持位置Ｈ２まで上昇する（図１９（ｂ））。そして、リッド把持機構６３の各リッド把持プレート６４は、リッド把持姿勢となり、装着リッドＬ１の嵌合部１７に内側から係合する（図１９（ｃ））。次いで、図２０（ａ）に示すように、リッドカム４４はいずれも、約９０度回転し、リッドカム４４の凸部４４ｂによる装着リッドＬ１の支持が解除される。その後、リッド取出し機５４が下降し、一時停止位置Ｈ３に停止する（図２０（ｂ））。そして、リッドカム４４は、反対回りに回転することで、図２０（ｃ）に示すように、元の位置に戻り、凸部４４ｂで次装着リッドＬ２を支持する。これにより、装着リッドＬ１は、リッドカム４４による支持が解除されるとともに、次装着リッドＬ２からの切り離しが可能な状態となる。
【００６１】
次いで、図２１（ａ）に示すように、リッド把持機構６３のリッド把持プレート６４が、リッド把持姿勢からリッド解放姿勢に戻り、これにより、装着リッドＬ１は、リッド取出し機５４の本体部６１のカバー６１ａ上に単に載置された状態となる。その後、一時停止位置Ｈ３のリッド取出し機５４は、再度下降し（図２１（ｂ））、待機位置Ｈ１に戻る。なお、リッド取出し機５４が一時停止位置Ｈ３から若干下降してから、リッド把持姿勢のリッド把持プレート６４をリッド解放姿勢に戻すようにしてもよい。この場合には、装着リッドＬ１をリッド把持プレート６４で把持したまま、リッド取出し機５４が若干下降するので、装着リッドＬ１を次装着リッドＬ２から確実に切り離すことができる。
【００６２】
このようにしてリッドセパレータ４１から取り出された装着リッドＬ１は、リッド取出し機５４の一時停止位置Ｈ３から待機位置Ｈ１への下降の途中に、図２２（ａ）および（ｂ）に順に示すように、リッド移送アーム８２の４つのリッド係止爪９７に係止される。以上のようにして、装着リッドＬ１がリッド移送アーム８２に受け渡され、この装着リッドＬ１は、図２３に示すように、リッド移送アーム８２によって、リッド受取位置からリッド装着位置に移送される。
【００６３】
次に、図２４、図２５を参照して、カップ搬送装置１３について説明する。上述したように、このカップ搬送装置１３は、カップディスペンサ６から受け取ったカップＣを、前後方向（図２４の左右方向）および上下方向に搬送するものであり、後述するそれぞれの所定位置で、カップＣへの飲料供給、そのカップＣへのリッドＬの装着、および購入者へのふた付きカップ飲料Ｄの提供が行われる。
【００６４】
カップ搬送装置１３は、カップＣを前後方向および上下方向にそれぞれ搬送する前後搬送装置１１１および上下搬送装置１１２（カップ昇降手段）で構成されている。前後搬送装置１１１は、前後方向に延びるとともに、上下搬送装置１１２の側部が摺動自在に係合する前後搬送フレーム１１３と、この前後搬送フレーム１１３の前端部および後端部にそれぞれ回転自在に設けられた前プーリ１１４および後プーリ１１５と、これらのプーリ１１４、１１５に巻き掛けられるとともに、上下搬送装置１１２の側部に連結されたタイミングベルト１１６と、後プーリ１１５を回転駆動するパルスモータからなる前後搬送モータ１１７と、上下搬送装置１１２の下端部のローラ１１２ａが転動自在に係合し、上下搬送装置１１２を前後方向に案内する案内レール１１８と、上下搬送装置１１２が、後述する飲料供給位置Ｐ２およびカップ飲料提供位置Ｐ４にそれぞれ到達したか否かを検出する２つの前後位置センサ１１９、１１９とを有している。なお、前後搬送フレーム１１３および案内レール１１８は、販売機本体３内の内壁や所定のフレーム３ａ（図２〜４参照）などに固定されている。
【００６５】
このような前後搬送装置１１１において、前後搬送モータ１１７で後プーリ１１５が回転駆動されると、タイミングベルト１１６が所定方向に回転し、これに伴い、上下搬送装置１１２が前後方向に移動するとともに、次の４つの所定位置、具体的には、カップ供給位置Ｐ１、飲料供給位置Ｐ２、リッド装着位置Ｐ３およびカップ飲料提供位置Ｐ４にそれぞれ停止するように制御される。
【００６６】
まず、カップ供給位置Ｐ１は、カップディスペンサ６からカップＣが供給される位置であり、カップドロッパ６ｂの真下の位置である。また、飲料供給位置Ｐ２は、カップＣに飲料を供給する位置であり、飲料ノズル１０の真下の位置である。また、リッド装着位置Ｐ３は、飲料が供給されたカップＣにリッドＬを装着する位置であり、カップ供給位置Ｐ１と飲料供給位置Ｐ２との間の位置である。また、カップ飲料提供位置Ｐ４は、カップ入り飲料を購入者に提供する位置であり、前後搬送フレーム１１３の前端付近の位置である。
【００６７】
なお、上述したように、上下搬送装置１１２は、２つの前後位置センサ１１９、１１９でそれぞれ検出されることによって、飲料供給位置Ｐ２およびカップ飲料提供位置Ｐ４に停止制御される。一方、カップ供給位置Ｐ１およびリッド装着位置Ｐ３における上下搬送装置１１２の停止制御は、前後位置センサ１１９、１１９で検出される飲料供給位置Ｐ２およびカップ飲料提供位置Ｐ４を基準としたときの、前後搬送モータ１１７に与えるパルス数で行われる。
【００６８】
図２５は、上下搬送装置１１２の内部構造を示している。この上下搬送装置１１２は、カップＣを昇降させるカップ昇降機構１２１と、カップＣを側方から軽く掴むように保持するカップ保持機構１２２とを有している。
【００６９】
カップ昇降機構１２１は、上端部にカップＣを載置するためのカップ台１２３を上端部に有するとともに、側面形状がＬ字状のカップ昇降アーム１２４と、互いに間隔を存して上下方向に平行に延びるとともに、カップ昇降アーム１２４に螺合し、このカップ昇降アーム１２４を上下方向に移動させるための一対の送りねじ１２５、１２５と、これら送りねじ１２５、１２５の下端部間に配置された駆動ギヤ１２６と、この駆動ギヤ１２６を回転駆動するパルスモータからなるカップ昇降モータ１２７と、一対の送りねじ１２５、１２５の下端部にそれぞれ固定され、いずれも駆動ギヤ１２６にかみ合う２つのギヤ１２８、１２８と、カップ昇降アーム１２４の下限位置を検出する昇降アーム下限センサ１２９とを有している。
【００７０】
このように構成されたカップ昇降機構１２１では、カップ昇降モータ１２７により駆動ギヤ１２６が所定方向に回転駆動されると、これにかみ合うギヤ１２８、１２８をそれぞれ有する一対の送りねじ１２５、１２５が、互いに同一方向に回転する。そして、これらの送りねじ１２５、１２５に螺合するカップ昇降アーム１２４は、上下方向に移動し、これに伴い、カップ昇降アーム１２４のカップ台１２３に載置されたカップＣが昇降する。
【００７１】
なお、カップ昇降アーム１２４の昇降位置の制御は、昇降アーム下限センサ１２９で検出された下限位置（図２５（ｂ）に示す位置）を基準としたときの、カップ昇降モータ１２７に与えるパルス数で行われる。また、カップ昇降アーム１２４の昇降速度の制御は、カップ昇降モータ１２７の回転速度を制御することで行われる。
【００７２】
一方、カップ保持機構１２２は、上記送りねじ１２５、１２５の上端付近に設けられたカップハンドフレーム１３１と、このカップハンドフレーム１３１に端部が固定され、互いに間隔を存し、水平且つ平行に延びる一対の支持軸１３２、１３２と、この一対の支持軸１３２、１３２に摺動自在に支持されるとともに、カップＣを左右から挟むように掴むカップハンド１３３と、カップハンドフレーム１３１に取り付けられ、カップハンド１３３を駆動する、エンコーダ付きのカップハンドモータ１３４とを有している。
【００７３】
カップハンド１３３は、平面形状がほぼＬ字状に形成され、互いに向かい合うように配置された左右２つのハンド１３５、１３５を有している。これら２つのハンド１３５、１３５の基端部（図２５（ａ）の左端部）にはそれぞれ、互いに対向し且つ支持軸１３２に沿って平行に延びるように形成されたラック１３５ａ、１３５ａを有している。そして、これらのラック１３５ａ、１３５ａは、上記カップハンドモータ１３４によって回転駆動されるピニオン１３６にかみ合っている。また、２つのハンド１３５、１３５の先端部（図２５（ａ）の右端部）にはそれぞれ、互いに向き合う円弧状のホルダ部１３５ｂ、１３５ｂを有している。
【００７４】
このように構成されたカップ保持機構１２２では、カップハンドモータ１３４により、ピニオン１３６が所定方向に所定回転数、回転駆動されると、そのピニオン１３６にかみ合うラック１３５ａ、１３５ａをそれぞれ有するハンド１３５、１３５が、互いに接近する。そして、カップ台１２３に載置されたカップＣを、ハンド１３５、１３５のそれぞれのホルダ部１３５ｂ、１３５ｂで、左右から挟むように軽く掴む。なお、上記ピニオン１３６が上記と反対方向に回転駆動されると、ハンド１３５、１３５が互いに離れ、これにより、カップＣが解放される。
【００７５】
次に、図２６を参照して、リッド押圧装置１４について説明する。上述したように、このリッド押圧装置１４は、上記カップ搬送装置１３によるカップＣの上方への移動に伴い、リッドＬを相対的に上方から押圧しながら、カップＣに嵌め込むものであり、上記リッド移送アーム８２がリッド装着位置に回動したときのリッド保持部９２よりも若干上方に配置されている。このリッド押圧装置１４は、モータ１４１と、上下方向に延び、モータ１４１により、ギヤボックス１４２を介して回転駆動される駆動軸１４３と、この駆動軸１４３の下端部に取り付けられ、駆動軸１４３の回転に伴って回転しながらリッドＬを押圧する回転押圧体１４４（リッド当接部材）とを有している。
【００７６】
回転押圧体１４４は、互いに等角度で放射状に延びる３つの水平軸線回りにそれぞれ回転自在の３つのローラ１４５と、平面形状が円形に形成され、各ローラ１４５を回転自在に支持するローラホルダ１４６と、ローラホルダ１４６の上側に、駆動軸１４３に固定された状態で設けられ、上記駆動軸１４３の回転をローラホルダ１４６に伝達するための、下向きコ字状の動力伝達板１４７とを有している。
【００７７】
ローラホルダ１４６は、駆動軸１４３に沿って、上下方向に若干移動可能な状態で、駆動軸１４３に取り付けられている。また、ローラホルダ１４６の上部には、図２６（ｂ）、（ｃ）に示すように、互いに間隔を存し、平行に延びる一対の溝１４８、１４８が形成されており、これらの溝１４８、１４８に、動力伝達板１４７の下部が遊挿されている。さらに、ローラホルダ１４６の上部には、上面が開口した一対のばね挿入孔１４９、１４９が設けられており、これらのばね挿入孔１４９、１４９にそれぞれ、圧縮ばね１５０、１５０が挿入されている。これらの圧縮ばね１５０、１５０は、上端が動力伝達板１４７の下面に当接しており、したがって、これらの圧縮ばね１５０、１５０により、３つのローラ１４５を保持するローラホルダ１４６が下方に付勢されている。
【００７８】
また、ローラホルダ１４６の上部の外周縁部は、上方に突出するように形成されており、この突出した突出部１４６ａの付近に、光センサからなるローラセンサ１５１が設けられている。このローラセンサ１５１は、ローラホルダ１４６の上昇位置を検出することで、ローラ１４５が所定距離（例えば２〜３ｍｍ）、上昇したか否かを検出する。
【００７９】
次に、以上のように構成されたリッド装着装置２を有する自動販売機１の販売時の動作について、カップＣへのリッドＬの装着を中心に説明する。なお、販売待機時には、図２〜図５に示すように、カップ搬送装置１３の上下搬送装置１１２は、カップ供給位置Ｐ１に位置するとともに、カップ台１２３が下限位置に位置している。また、リッド取出し・移送装置１２のリッド取出し機５４は、待機位置Ｈ１に位置する一方、リッド移送アーム８２は、リッド受取位置に位置している。
【００８０】
販売時に、購入者が、自動販売機１に金銭を投入し、所望の商品選択ボタンおよびリッド装着ボタンを押すと、まず、カップディスペンサ６から、最下位のカップＣが切り離され、カップ搬送装置１３（上下搬送装置１１２）のカップ台１２３上に落下する。そして、そのカップＣは、カップ保持機構１２２のカップハンド１３３により、左右から軽く掴まれた状態となる。また、このような上下搬送装置１１２へのカップＣの供給と同時に、購入者の選択した飲料が、ミキシングボウル８内で調理される。
【００８１】
次いで、カップＣを保持する上下搬送装置１１２は、図２４に示すように、後方の飲料供給位置Ｐ２に移動する。そして、ミキシングボウル８内の飲料が、飲料チューブ９および飲料ノズル１０を介して、カップＣに注がれる。カップＣへの飲料供給終了後、上下搬送装置１１２は前方のリッド装着位置Ｐ３に移動する。また、以上のように、カップＣがカップディスペンサ６からリッド装着位置Ｐ３に搬送されるまでの間に、リッド取出し・移送装置１２により、リッドストッカ１１から、最下位のリッドＬ（装着リッドＬ１）が、リッド装着位置まで移送される。
【００８２】
すなわち、図１９〜図２３を参照して上述したように、リッド取出し装置５１のリッド取出し機５４が、待機位置Ｈ１からリッド把持位置Ｈ２まで一旦上昇した後、リッド取出し機５４のリッド把持機構６３、およびリッドセパレータ４１が作動し、装着リッドＬ１を次装着リッドＬ２から切り離す。その後、リッド取出し機５４が、一時停止位置Ｈ３から待機位置Ｈ１まで下降し、その途中で、装着リッドＬ１が、リッド移送アーム８２のリッド保持リング９６内にリッド係止爪９７で係止される。そして、リッド移送アーム８２が、リッド受取位置からリッド装着位置に回動し、これにより、装着リッドＬ１がリッド装着位置、より具体的には、リッド装着位置Ｐ３に搬送されたカップＣの上方で、且つリッド押圧装置１４のローラ１４５の下側に移送される（図２７（ａ）参照）。
【００８３】
ここで、図２７および図２８を参照して、リッド装着位置におけるカップＣへの装着リッドＬ１の装着を順に説明する。まず、リッド装着位置Ｐ３に位置する上下搬送装置１１２のカップ昇降アーム１２４が上昇し、図２７（ａ）に示す下限位置のカップ台１２３に載置されたカップＣが、装着リッドＬ１に下方から当接する（図２７（ｂ）参照）。そして、カップ昇降アーム１２４がさらに上昇することで、カップＣが装着リッドＬ１を持ち上げ、この装着リッドＬ１の上端が回転押圧体１４４のローラ１４５の付近に到達する。ここまでの上昇区間では、カップ昇降アーム１２４は高速（例えば５０ｍｍ／ｓ）で上昇する。その後、カップ昇降アーム１２４の上昇速度が低速（例えば５ｍｍ／ｓ）に切り替わり、カップ昇降アーム１２４がゆっくりとさらに上昇し、装着リッドＬ１が、回転している回転押圧体１４４の３つのローラ１４５に下方から当接する。
【００８４】
一方、装着リッドＬ１の上方のリッド押圧装置１４では、カップ昇降アーム１２４の上昇速度が切り替わるタイミングよりも少し前から、回転押圧体１４４が、鉛直軸線回りに所定の回転速度（例えば３秒で２回転）で回転する。
【００８５】
装着リッドＬ１がローラ１４５に当接した後も、カップ昇降アーム１２４がゆっくりとさらに上昇する。これにより、装着リッドＬ１は、下側のカップＣによって、上側の回転押圧体１４４のローラ１４５に次第に強く押し当てられる。そして、この装着リッドＬ１は、スナップ嵌めによって、カップＣに適正に且つしっかりと装着される（図２７（ｃ）、図６（ｃ）参照）。
【００８６】
このように、装着リッドＬ１がカップＣに適正に且つしっかりと装着されるのは、主に、リッド移送アーム８２におけるリッド保持リング９６の遊び、カップ昇降アームの上昇速度、および回転押圧体１４４の回転による。例えば、図２９（ａ）に示すように、カップＣの上端部の開口の中心と、装着リッドＬ１の下端部の開口の中心とが、数ｍｍ程度ずれている場合に、カップＣが装着リッドＬ１に下方から当接すると、同図（ｂ）に示すように、装着リッドＬ１がカップＣの水平な上面に対し、若干傾斜することがある。
【００８７】
しかし、本実施形態のリッド装着装置２においては、装着リッドＬ１を保持するリッド移送アーム８２のリッド保持リング９６が、その遊びによって、水平面内で若干移動し、また、装着リッドＬ１に当接したカップＣがゆっくりと上昇し、さらに、回転押圧体１４４が回転することで、３つのローラ１４５が装着リッドＬ１の上面周縁部をスムーズに押圧する。したがって、装着リッドＬ１およびカップＣの開口の中心が互いにずれている場合であっても、前述のようにして、それらの中心を合致させながら、装着リッドＬ１をカップＣに装着させるので、装着リッドＬ１をカップＣに適正に且つしっかりと装着することができる。
【００８８】
以上のようにして、装着リッドＬ１がカップＣに装着され、図２７（ｃ）に示すように、回転押圧体１４４のローラホルダ１４６が、圧縮ばね１５０、１５０に抗して、所定高さ（例えば２〜３ｍｍ）上昇したことが、ローラセンサ１５１で検出されると、カップ昇降アーム１２４の上昇が停止する。その後、逆に、カップ昇降アーム１２４が下降し、図２８（ａ）に示すように、回転押圧体１４４が元の高さに戻ったところで、カップ昇降アーム１２４の下降が停止する。
【００８９】
図２８（ａ）に示すように、この状態のまま、カップ昇降アーム１２４が下降すると、装着リッドＬ１の下面周縁部がリッド移送アーム８２のリッド係止爪９７で係止され、そのために、リッド装着済みカップＣが宙づりになってしまうことがある。そこで、リッド係止爪９７による装着リッドＬ１の係止を解除すべく、図２８（ｂ）に示すように、リッド移送アーム８２を若干上昇させる。
【００９０】
具体的には、図２３および図３０（ａ）に示すように、リッド装着位置に位置するリッド移送アーム８２を、リッド受取位置（図２３（ａ）の２点鎖線で示す位置）と反対方向に回動させるように、アーム駆動機構８３を短時間作動させる。この場合、リッド移送アーム８２は、ロッド８５に当接し、これを越えて回動することはできない。しかし、アーム駆動機構８３のアーム駆動カム１０３が所定角度、回転すると、アーム駆動カム１０３とこれにかみ合っていたリッド移送アーム８２の凸部９１ａとのかみ合いがはずれ、そのかみ合い高さの分、アーム駆動カム１０３がコイルばね９４に抗して、リッド移送アーム８２を持ち上げる。これにより、リッド移送アーム８２は、アーム駆動カム１０３とのかみ合い高さと同じ高さＧだけ上昇する（リッド解放位置）。
【００９１】
またこの場合、リッド装着済みカップＣは、そのリッドＬ１の上面が回転押圧体１４４に当接しているため、上昇したリッド移送アーム８２に対し、相対的に下降する。そうすると、リッド移送アーム８２の各リッド係止爪９７は、リッドＬ１により、ねじりコイルばね９９に抗して押圧され、リッド係止位置から外方のリッド解除位置に回動する。これにより、リッド装着済みカップＣのリッドＬ１の係止が解除される。
【００９２】
その後、停止していたカップ昇降アーム１２４が下降し、図２８（ｃ）に示すように、下限位置で停止する。以上により、カップＣへの装着リッドＬ１の装着が完了する。なお、カップ昇降アーム１２４が下限位置に到達すると、リッド装着位置のリッド移送アーム８２が、次回の販売に備えて、リッド受取位置に戻る。
【００９３】
以上のようにして、カップＣにリッドＬが装着された後、リッド装着位置Ｐ３の上下搬送装置１１２は、図３１に示すように、前方のカップ飲料提供位置Ｐ４まで移動する。そして、同図に２点鎖線で示すように、カップ昇降アーム１２４が上昇し、ふた付きカップ飲料Ｄを、商品取出し部５のステージ５ａまで持ち上げる。これにより、ふた付きカップ飲料Ｄの販売が終了する。なお、ふた付きカップ飲料Ｄが、商品取出し部５から購入者に取り出されると、上昇していたカップ昇降アーム１２４が下限位置まで下降し、上下搬送装置１１２が、次回の販売に備えて、カップ供給位置Ｐ１に戻る。
【００９４】
以上詳述したように、本実施形態のリッド装着装置２によれば、購入者への提供前に、着脱自在のリッドＬを飲料の入ったカップＣに自動的に装着するので、購入者は、カップ飲料Ｄをこぼすことなく、しかも複数のカップ飲料であっても、容易にかつ安全に持ち運ぶことができる。また、ふた付きカップ飲料Ｄをテーブルなどの上で誤って倒した場合であっても、カップＣから飲料がこぼれないので、テーブルを汚すことがない。さらに、購入者は、カップＣから一旦取り外したリッドＬを、再度簡単に取り付けることができるので、飲み掛けのカップＣにふたをしておくことで、その飲料を衛生に保つことができるとともに、飲料がホット飲料である場合に、それを冷め難くすることもできる。
【００９５】
また、飲料入りカップＣへのリッドＬの装着中は、そのリッドＬがリッド移送アーム８２のリッド保持リング９６内でしっかりと保持されるので、リッドＬの装着をより確実に行うことができる。加えて、リッドＬの装着終了後は、リッド移送アーム８２をリッド解放位置に上昇させるだけで、リッド係止爪９７によるリッド装着済みカップのリッドＬの係止の解除を、迅速かつ確実に行うことができる。
【００９６】
なお、本発明は、説明した上記実施形態に限定されることなく、種々の態様で実施することができる。例えば、リッド移送アーム８２のリッド保持リング９６内でリッドＬを係止するリッド係止爪９７を、例えば、板ばねなどの弾性材料や可撓性を有する材料などで構成し、リッド装着位置でリッド移送アーム８２を上昇させることによるリッドＬの保持解除の際に、簡単に変形するものを採用してもよい。また、実施形態で示したリッド装着装置２の細部の構成などは、あくまで例示であり、本発明の趣旨の範囲内で適宜、変更することができる。
【００９７】
【発明の効果】
以上詳述したように、本発明のカップ式自動販売機のリッド装着装置は、飲料入りカップへのリッドの装着中は、リッドをしっかりと保持できるとともに、装着終了後は、リッド保持の解除を迅速かつ確実に行うことができるなどの効果を有する。
【図面の簡単な説明】
【図１】本発明の一実施形態によるリッド装着装置を内蔵したカップ式自動販売機を示す斜視図である。
【図２】図１のカップ式自動販売機の内部を示す斜視図である。
【図３】カップディスペンサを省略したカップ式自動販売機の内部を示す斜視図である。
【図４】カップディスペンサを省略したカップ式自動販売機の内部を示す正面図である。
【図５】リッドストッカおよびリッド取出し・移送装置を省略したカップ式自動販売機の内部を示す右側面図である。
【図６】リッドおよびカップを示す図であり、（ａ）はリッドの上面図、（ｂ）は一部を裁断したリッドの側面図、（ｃ）はカップの側面図を示す。
【図７】ストッカフレームを省略したリッドストッカの上端部を示す斜視図である。
【図８】ストッカフレームの上部の支持プレートを省略したリッドストッカを示す上面図である。
【図９】リッドストッカのベースプレートの周辺を示す斜視図である。
【図１０】図４に示すリッド装着装置からリッドストッカを省略した部分を拡大して示す正面図である。
【図１１】図１０の上面図の一部を示している。
【図１２】リッドセパレータを示す図であり、（ａ）は平面図、（ｂ）は側面図、（ｃ）はリッドカムを示している。
【図１３】リッドセパレータのリッドカムの動作を説明するための図であり、（ａ）は各リッドカムがリッドを係止するときの状態、（ｂ）はリッドを切り離すときの状態を示している。
【図１４】リッド取出し・移送装置のリッド取出し装置を示す斜視図である。
【図１５】（ａ）は、図１５のリッド取出し装置を示す正面図であり、（ｂ）は（ａ）の１点鎖線で囲んだ部分の内部構造を示す図である。
【図１６】リッド把持プレートを示す上面図であり、（ａ）は待機時およびリッド解放の状態を示し、（ｂ）はリッド把持の状態を示す。
【図１７】リッド取出し機の昇降位置を説明するための説明図である。
【図１８】リッド取出し・移送装置を示す図であり、（ａ）はその上面図、（ｂ）は（ａ）の正面図、（ｃ）は（ａ）のＩ−Ｉ線でリッド移送アームを切断した断面図である。
【図１９】リッド取出し機によるリッドセパレータからのリッドの取出しを順に説明するための説明図である。
【図２０】図１９に続く説明図である。
【図２１】図２０に続く説明図である。
【図２２】図２１に続く説明図である。
【図２３】リッド移送アームがリッド装着位置に位置するリッド移送装置を示す図であり、（ａ）はその上面図、（ｂ）は（ａ）の正面図である。
【図２４】カップ搬送装置を示す側面図である。
【図２５】上下搬送装置の内部構造を示す図であり、（ａ）はその上面図、（ｂ）は正面図である。
【図２６】リッド押圧装置を示す図であり、（ａ）はその正面図、（ｂ）は（ａ）の１点鎖線で囲んだ部分を拡大して示す一部裁断図、（ｃ）は（ａ）のII−II線の矢視図である。
【図２７】リッド装着位置におけるカップへのリッドの装着を説明するための図であり、（ａ）はカップが上昇する前の状態、（ｂ）はリッドにカップが当接した状態、（ｃ）はカップをがさらに上昇し、リッドがカップにしっかりと嵌った状態を示している。
【図２８】図２７に続く説明図であり、（ａ）はカップに装着されたリッドの下面外周部がリッド移送アームのリッド係止爪に係止された状態、（ｂ）はリッド移送アームを上昇させ、リッド係止爪によるリッドの係止を解除した状態、（ｃ）はカップを下降させた状態を示している。
【図２９】カップの中心と装着リッドの中心とがずれた状態におけるカップへのリッドの装着を説明するための説明図である。
【図３０】リッド装着位置でリッド移送アームを上昇させることで、リッド係止爪によるリッドの係止解除を説明するための説明図である。
【図３１】カップ飲料提供位置における上下搬送装置の動作を説明するための説明図である。
【符号の説明】
１      自動販売機
２      リッド装着装置
１１    リッドストッカ（リッド収納装置）
１２    リッド取出し・移送装置
１３    カップ搬送装置
１４    リッド押圧装置
５２    リッド移送装置
８２    リッド移送アーム（リッド移送部材）
８３    アーム駆動機構
８５    ロッド（回動阻止部材）
９２    リッド保持部
９３    支持軸
９６    リッド保持リング
９６ａ  開口
９７    リッド係止爪（係止部材）
９９    ねじりコイルばね（付勢手段）
１０１  モータ
１０３  アーム駆動カム（カム）
１１２  上下搬送装置（カップ昇降手段）
１４４  回転押圧体（リッド当接部材）
Ｃ      カップ
Ｄ      カップ飲料
Ｌ      リッド
Ｌ１    装着リッド
Ｌ２    次装着リッド
【図１】
0003797235.tif 000002
【図２】
0003797235.tif 000003
【図３】
0003797235.tif 000004
【図４】
0003797235.tif 000005
【図５】
0003797235.tif 000006
【図６】
0003797235.tif 000007
【図７】
0003797235.tif 000008
【図８】
0003797235.tif 000009
【図９】
0003797235.tif 000010
【図１０】
0003797235.tif 000011
【図１１】
0003797235.tif 000012
【図１２】
0003797235.tif 000013
【図１３】
0003797235.tif 000014
【図１４】
0003797235.tif 000015
【図１５】
0003797235.tif 000016
【図１６】
0003797235.tif 000017
【図１７】
0003797235.tif 000018
【図１８】
0003797235.tif 000019
【図１９】
0003797235.tif 000020
【図２０】
0003797235.tif 000021
【図２１】
0003797235.tif 000022
【図２２】
0003797235.tif 000023
【図２３】
0003797235.tif 000024
【図２４】
0003797235.tif 000025
【図２５】
0003797235.tif 000026
【図２６】
0003797235.tif 000027
【図２７】
0003797235.tif 000028
【図２８】
0003797235.tif 000029
【図２９】
0003797235.tif 000030
【図３０】
0003797235.tif 000031
【図３１】
0003797235.tif 000032